(57)【要約】【課題】鍵ユニットの鍵フレームへの組み付け性を良好にした電子楽器の鍵盤装置を提供する。【解決手段】複数の鍵ユニット１０Ａ，１０Ｂ，１０Ｃは、樹脂によって一体成型され、複数の鍵本体部１１を、複数の薄板部１２を介して共通基端部１３にそれぞれ接続させている。各鍵ユニット１０Ａ，１０Ｂ，１０Ｃは、共通基端部１３にて鍵フレーム２０に固定される。鍵フレーム２０は、垂直方向かつ横方向に延設された後面部２０ａと後面部２０ａの前方かつ上方にて横方向に延設された後側上面部２０ｃとを有する。後面部２０ａと後側上面部２０ｃの間にはリブ２１が設けられる。鍵ユニット１０Ａ，１０Ｂ，１０Ｃを鍵フレーム２０に載置するとき、共通基端部１３は、リブ２１に摺接して、後面部２０ａへ誘導される。【選択図】図１Ａ
2011017904.tif 000002
【特許請求の範囲】
【請求項１】
押離鍵操作される複数の鍵本体部の後端部から下方へ延設され、変形によって前記鍵本体部の上下方向の揺動を許容する薄肉部の下端を、前記鍵本体部の並び方向に延設された共通基端部にそれぞれ接続するように一体成型された鍵ユニットと、
鉛直方向に延設された後面部を有する鍵フレームとを備え、前記鍵ユニットを前記鍵フレームに載置した後に前記共通基端部を前記後面部に固定する鍵盤装置において、
前記鍵フレームに、前記後面部の前方かつ上方にて前記鍵本体部の並び方向に延設された上面部を設け、
鍵ユニットを鍵フレームに載置するときに、前記共通基端部を摺接させて前記共通基端部を前記後面部へ誘導するためのガイドを、前記上面部と前記後面部との間に設けたことを特徴とする電子楽器の鍵盤装置。
【請求項２】
請求項１に記載の鍵盤装置において、さらに、
前記後面部の後面から後方へ突出した第１凸部を設けておき、
前記鍵ユニットを前記鍵フレームに載置した状態において、前記共通基端部を前記第１凸部に当接させるようにしたことを特徴とする電子楽器の鍵盤装置。
【請求項３】
請求項２に記載の鍵盤装置において、さらに、
前記後面部の後面から後方へ突出した第２凸部を前記鍵本体部の並び方向へ延設するとともに、
前記第２凸部に嵌合可能な溝部を前記共通基端部に設けておき、
前記共通基端部を前記後面部に固定するとき、前記共通基端部に設けた溝部を前記第２凸部に嵌合させるようにしたことを特徴とする電子楽器の鍵盤装置。
【請求項４】
前記ガイドは、前記上面部の後端と前記後面部の上端との間に形成されたリブであることを特徴とする請求項１乃至３のいずれか１つに記載の鍵盤装置。
【請求項５】
前記ガイドは、前記上面部の後端と前記後面部の上端とをつなぐ斜面であることを特徴とする請求項１乃至３のいずれか１つに記載の電子楽器の鍵盤装置。
【請求項６】
前記共通基端部の下端部に、下方から切り欠いた切り欠き部を設け、前記切り欠き部を前記第１凸部に嵌合させるようにしたことを特徴とする請求項２乃至５のいずれか１つに記載の電子楽器の鍵盤装置。
【請求項７】
前記第１凸部は、前記共通基端部を前記後面部に固定するためのボスであることを特徴とする請求項２乃至６のいずれか１つに記載の電子楽器の鍵盤装置。
【請求項８】
前記第２凸部の突出量を、前記共通基端部の肉厚以下にしたことを特徴とする請求項３乃至７のいずれか１つに記載の電子楽器の鍵盤装置。
【請求項９】
前記第２凸部の前記鍵本体部の並び方向の所定区間の上面を水平にしたことを特徴とする請求項３乃至８のいずれか１つに記載の電子楽器の鍵盤装置。
【請求項１０】
請求項１乃至請求項９のうちのいずれか１つに記載の鍵盤装置において、さらに、
前記鍵フレームに支持され、前記鍵の押離鍵操作に伴って揺動する揺動部材を備えたことを特徴とする電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、下記特許文献１に示されているように、樹脂で成形した複数の鍵の後端部を鍵フレームに固定した鍵盤装置は知られている。この鍵盤装置においては、複数の鍵本体部の後部から鉛直方向に薄肉状の弾性変形部が延設され、弾性変形部が鍵本体部の並び方向に延設された共通基端部に接続された鍵ユニットを有する。そして、鍵フレームの後面部は、鉛直方向に延設され、鍵ユニットがその共通基端部にて鍵フレームの後面部に固定されている。このようにして、鍵盤装置の前後方向の小型化を図っている。
【先行技術文献】
【特許文献】
【０００３】
【特許文献１】特開２００１−２１５９６８号公報
【発明の概要】
【０００４】
しかし、上記従来の鍵盤装置においては、鍵フレームの上面部と後面部が略直角に形成されると、鍵ユニットを鍵フレームに載置するとき、鍵ユニットの共通基端部の下端が鍵フレームの上面部に当接して引っかかることがあり、鍵ユニットの鍵フレームへ組み付け性が悪かった。特に、アコースティックピアノの鍵タッチ感を模擬するための揺動部材（例えばハンマー）を有する鍵盤装置の場合、鍵本体部に揺動部材を駆動するための駆動部が設けられており、この駆動部を揺動部材に係合させながら鍵ユニットを鍵フレーム上に載置しなければならず、上記のように、共通基端部の下端が鍵フレームの上面部の後端部に引っかかり易かった。また、上記従来の鍵盤装置においては、鍵ユニットの鍵フレームへの組み付け時における共通基端部の位置決めについては、考慮されていない。
【０００５】
本発明は前記問題を解決するためになされたものであり、その目的は、鍵ユニットの鍵フレームへの組み付け性を良好にした電子楽器の鍵盤装置を提供することにある。
【０００６】
前記目的を達成するため、本発明の特徴は、押離鍵操作される複数の鍵本体部（１１）の後端部から下方へ延設され、変形によって鍵本体部の上下方向の揺動を許容する薄肉部（１２）の下端を、鍵本体部の並び方向に延設された共通基端部（１３）にそれぞれ接続するように一体成型された鍵ユニット（１０Ａ，１０Ｂ，１０Ｃ）と、鉛直方向に延設された後面部（２０ａ）を有する鍵フレーム（２０）とを備え、鍵ユニットを鍵フレームに載置した後に共通基端部を後面部に固定する鍵盤装置において、鍵フレームに、後面部の前方かつ上方にて鍵本体部の並び方向に延設された上面部（２０ｃ）を設け、鍵ユニットを鍵フレームに載置するときに、共通基端部を摺接させて共通基端部を後面部へ誘導するためのガイド（２１，２０ｇ）を、上面部と後面部との間に設けたことにある。この場合、ガイドは、上面部の後端と後面部の上端との間に形成されたリブ（２１）とするとよい。また、この場合、ガイドは、上面部の後端と後面部の上端とをつなぐ斜面（２０ｇ）としてもよい。
【０００７】
上記のように構成した本発明によれば、鍵ユニットを鍵フレームに載置するとき、共通基端部はガイドに摺接して、鍵フレームの後面部へ誘導される。すなわち、鍵ユニットの共通基端部の下端が鍵フレームの上面部に当接して引っかかることがない。そのため、鍵ユニットの組み付け性が良好になる。
【０００８】
本発明の他の特徴は、さらに、後面部の後面から後方へ突出した第１凸部（２０ａ１）を設けておき、鍵ユニットを鍵フレームに載置した状態において、共通基端部を第１凸部に当接させるようにしたことにある。これによれば、鍵ユニットを鍵フレームに載置すると、共通基端部が第１凸部に当接して、共通基端部の上下方向の仮位置決めがなされる。そのため、作業者が、冶具、計測器などを用いて共通基端部の仮位置決めをする必要が無いので、鍵ユニットの組み付け性が良好になる。
【０００９】
また、本発明の他の特徴は、共通基端部の下端部に、下方から切り欠いた切り欠き部（１３ａ）を設け、切り欠き部を第１凸部に嵌合させるようにしたことにある。この場合、第１凸部は、共通基端部を後面部に固定するためのボスとするとよい。これによれば、切り欠き部を第１凸部に嵌合させることにより、共通基端部の上下方向のみならず、左右方向についても仮位置決めができる。また、仮位置決め用の第１凸部を鍵ユニット固定用のボスとしても利用するように構成すれば、鍵フレームの構造を簡単にできる。
【００１０】
また、本発明の他の特徴は、さらに、後面部の後面から後方へ突出した第２凸部（２０ａ２）を鍵本体部の並び方向へ延設するとともに、第２凸部に嵌合可能な溝部（１３ｂ）を共通基端部に設けておき、共通基端部を後面部に固定するとき、共通基端部に設けた溝部を第２凸部に嵌合させるようにしたことにある。これによれば、共通基端部に設けた溝部を第２凸部に嵌合させて、共通基端部を後面部に固定すれば、共通基端部の上下方向の位置が確実に決まる。すなわち、冶具、計測器などを用いて共通基端部の最終的な位置決めをする必要が無いので、鍵ユニットの組み付け性が良好になる。
【００１１】
また、本発明の他の特徴は、第２凸部の突出量を、共通基端部の肉厚以下にしたことにある。これによれば、鍵フレームの肉厚をほぼ均一にすることができ、鍵フレームに成型性向上のための肉盗み（凹部）を設ける必要がない。そのため、鍵フレームを成型するための金型の構造を簡単にすることができるので、コストダウンできる。
【００１２】
また、本発明の他の特徴は、第２凸部の鍵本体部の並び方向の所定区間の上面を水平（図８Ａ，８ＢのＸ部分）にしたことにある。鍵フレームを樹脂の一体成型とした場合、離型性を良好にするために第２凸部に抜き勾配が設けられると、第２凸部の上面は、その先端に向かうほど低くなる。そのため、共通基端部を鍵フレームに固定するとき、鍵ユニットが後方向に多少動くと、共通基端部が第２凸部から脱落し易い。しかし、上記のように構成した本発明によれば、第２凸部の鍵本体部の並び方向の所定の区間の上面を水平にしたので、鍵ユニットが後方に多少動いても、共通基端部が第２凸部から脱落し難い。そのため、より簡単に共通基端部を鍵フレームに固定することができる。
【００１３】
また、本発明の他の特徴は、さらに、鍵フレームに支持され、鍵の押離鍵操作に伴って揺動する揺動部材（２５）を備えたことにある。上記のように、アコースティックピアノの鍵タッチ感を模擬するために揺動部材を備えた鍵盤装置においては、鍵ユニットの鍵フレームへの組み付け性が特に悪かった。しかし、上記のように構成した本発明によれば、鍵ユニットを鍵フレームに簡単に組み付けることができる。
【００１４】
なお、前記括弧内の符号は、本発明の理解を容易にするために、後述する実施形態との対応関係を示すものであるが、本発明はこれに限定されるものではない。
【図面の簡単な説明】
【００１５】
【図１Ａ】本発明の一実施形態に係る鍵盤装置の右側面図である。
【図１Ｂ】図１Ａの鍵盤装置の背面図である。
【図２Ａ】図１Ａの鍵盤装置の各鍵ユニットの斜視図である。
【図２Ｂ】図２Ａの各鍵ユニットの右側面図である。
【図３Ａ】図１Ａの鍵盤装置の鍵フレームの平面図である。
【図３Ｂ】図１Ａの鍵盤装置の鍵フレームの背面図である。
【図３Ｃ】図３ＡのＣ−Ｃ断面図である。
【図４】鍵ユニットを鍵フレームに載置するために、駆動部を揺動レバーへ近付けた状態を示す図である。
【図５】駆動部を揺動レバーに係合させながら、共通基端部をガイドに摺接させて後面部へ誘導している状態を示す図である。
【図６Ａ】共通基端部の仮位置決めがなされた状態の右側面図である。
【図６Ｂ】共通基端部の仮位置決めがなされた状態の背面図である。
【図７】本発明の変形例に係る鍵フレームの縦断側面図である。
【図８Ａ】本発明の他の変形例に係る鍵フレームの背面図である。
【図８Ｂ】図８ＡのＢ−Ｂ断面図である。
【発明を実施するための形態】
【００１６】
以下、本発明の一実施形態について図面を用いて説明する。以下の説明では、演奏者から見て手前側（図１Ａの左側）を「前」、奥側（図１Ａの右側）を「後」とする。また、演奏者から見て右側（図１Ａの紙面の表面側）を「右」、左側（図１Ａの紙面の裏面側）を「左」とする。さらに、演奏者から見て、上側（図１Ａの上側）を「上」、下側（図１Ａの下側）を「下」とする。なお、左右方向を横方向という。図１Ａは、本実施形態に係る鍵盤装置を右側から見た右側面図である。図１Ｂは、前記鍵盤装置を後側から見た背面図である。この鍵盤装置は、図２Ａ及び図２Ｂに示すような、３つの鍵ユニット１０Ａ，１０Ｂ，１０Ｃをそれらの後端部にて鍵フレーム２０に固定するようになっている。鍵ユニット１０Ａは、Ｃ＃鍵、Ｄ＃鍵、Ｆ＃鍵、Ｇ＃鍵及びＡ＃鍵を有する樹脂の一体成型品である。鍵ユニット１０Ｂは、Ｃ鍵、Ｅ鍵、Ｇ鍵及びＢ鍵を有する樹脂の一体成型品である。鍵ユニット１０Ｃは、Ｄ鍵、Ｆ鍵及びＡ鍵を有する樹脂の一体成型品である。なお、各鍵ユニット１０Ａ，１０Ｂ，１０Ｃは、本実施形態では１オクターブの鍵域内に含まれる複数の鍵を適宜組み合わせて一体成型しているが、この鍵域に関しても、複数の鍵の種類の組み合わせに関しても、これに限定されずに自由に選択することができる。
【００１７】
各鍵ユニット１０Ａ，１０Ｂ，１０Ｃは、樹脂によって一体成型された鍵本体部１１、薄板部１２及び共通基端部１３からなる。鍵本体部１１は、演奏者によって押離鍵操作される部位であり、前後に延設された薄肉の上壁及び上壁の左右端からそれぞれ下方へ延設された薄肉の側壁を有し、下方に開放した中空状に形成されている。薄板部１２は、前後方向に薄い厚みを有し、かつ鍵本体部１１の後端面から垂直に下方へ延設されている。ただし、薄板部１２は、必ずしも鍵本体部１１の後端面から垂直に下方へ延設されている必要はなく、鍵本体部１１の後部から下方へ延設されていればよい。この薄板部１２は、演奏時に、弾性変形により鍵本体部１１の上下方向の揺動を許容する。
【００１８】
共通基端部１３は、前後方向に比較的薄く、横方向に長尺状に成形されており、上面に薄板部１２の下端面が接続されている。共通基端部１３には、共通基端部１３の下面から上方へ向かって前後に貫通して切り欠いた切り欠き１３ａが、各共通基端部１３において同一の横方向位置にある右端部、中央部および左端部にそれぞれ設けられている。切り欠き１３ａは、上部が半円状に形成されており、半円状部分より下方は半円状部分の直径と同じ幅で共通基端部１３の下端へ向かって切り取ったような形状に形成されている。すなわち、切り欠き１３ａは下方が開口している。中央部の切り欠き１３ａは、右端部及び左端部の切り欠き１３ａに比べて、その横方向の幅が若干小さくなっている。
【００１９】
また、各共通基端部１３の前面には、横方向に延設した、それぞれ所定幅の溝１３ｂが形成されており、各共通基端部１３の後面には、横方向に延設した、それぞれ所定幅の凸状のレール１３ｃが形成されている。鍵ユニット１０Ｃの溝１３ｂの幅は、後述のリブ２０ａ２の幅と同じであり、鍵ユニット１０Ｃのレール１３ｃの幅は、共通基端部１３の肉厚が一定になるように溝１３ｂの幅に応じて設定されている。後述のように、鍵ユニット１０Ｂの溝１３ｂと鍵ユニット１０Ｃのレール１３ｃを嵌合させたとき、締まり嵌めとなるように、鍵ユニット１０Ｂの溝１３ｂの幅は、鍵ユニット１０Ｃのレール１３ｃの幅よりも若干小さく設定されている。また、鍵ユニット１０Ｂのレール１３ｃの幅も、共通基端部１３の肉厚が一定になるように溝１３ｂの幅に応じて設定されている。そして、鍵ユニット１０Ａの溝１３ｂと鍵ユニット１０Ｂのレール１３ｃを嵌合させたとき、締まり嵌めとなるように、鍵ユニット１０Ａの溝１３ｂの幅は、鍵ユニット１０Ｂのレール１３ｃの幅よりも若干小さく設定されている。また、鍵ユニット１０Ａのレール１３ｃの幅も、溝１３ｂの幅に応じて設定されている。各溝１３ｂの深さは同じであるため、各レール１３ｃの高さも同じになっている。鍵ユニット１０Ａ，１０Ｂ，１０Ｃを各共通基端部１３にて前後に重ね合わせると、鍵ユニット１０Ｂのレール１３ｃは、鍵ユニット１０Ａの溝１３ｂに嵌合し、鍵ユニット１０Ｃのレール１３ｃは、鍵ユニット１０Ｂの溝１３ｂに嵌合して、鍵ユニット１０Ａ，１０Ｂ，１０Ｃが一体化するようになっている。なお、鍵ユニット１０Ｃの共通基端部１３の後面から後方へ突出したピンを一体的に設け、鍵ユニット１０Ａ，１０Ｂの共通基端部１３に前記鍵ユニット１０Ｃのピンに対応した位置に貫通孔を設けておいて、前記鍵ユニット１０Ｃのピンを前記鍵ユニット１０Ａ，１０Ｂの貫通孔に嵌合させて、各鍵ユニット１０Ａ，１０Ｂ，１０Ｃを一体化するようにしてもよい。
【００２０】
鍵フレーム２０は、樹脂の一体成型により横方向に延設されている。鍵フレーム２０は、図３Ａ乃至図３Ｃに示すように、鉛直方向かつ横方向に延設された後面部２０ａを有する。また、それぞれ横方向に延設された前側上面部２０ｂ及び後側上面部２０ｃを有する。後側上面部２０ｃは、後面部２０ａの前方かつ上方に位置する。後側上面部２０ｃは前側上面部２０ｂよりも高い位置にあり、前側上面部２０ｂの後端と後側上面部２０ｃの前端は横方向に延設された垂直面部２０ｄによって接続されている。すなわち、鍵フレーム２０の上部には、前側上面部２０ｂ及び後側上面部２０ｃにより段差が構成されている。
【００２１】
また、後側上面部２０ｃの後端から後方かつ下方へ傾斜面部２０ｅが延設されている。傾斜面部２０ｅは、その下端が後面部２０ａの上端の前方に位置する。傾斜面部２０ｅの下端から後方へ水平な水平面部２０ｆが延設されて、水平面部２０ｆの後端が、後面部２０ａの上端に接続されている。傾斜面部２０ｅと水平面部２０ｆの間には、横方向に間隔をおいて複数箇所にリブ２１が形成されている。ただし、必ずしも等間隔に配置されている必要はなく、それぞれの間隔が異なってもよい。リブ２１の上面は、後側上面部２０ｃの後端と後面部２０ａの上端をつなぐ斜面となっている。なお、傾斜面部２０ｅ及び水平面部２０ｆを省略して、後面部２０ａと後側上面部２０ｃがリブ２１によって接続されるようにしてもよい。この場合、鍵フレーム２０の強度を確保するため、傾斜面部２０ｅ及び水平面部２０ｆを設けた場合に比べて、リブ２１の数を増やすとよい。
【００２２】
また、後面部２０ａには、横方向の右端部、中央部及び左端部に第１凸部としてのボス２０ａ１が設けられている。このボス２０ａ１の外径は、鍵ユニット１０Ａ，１０Ｂ，１０Ｃに設けた切り欠き１３ａのうち、中央部に設けた切り欠き１３ａの幅と同等である。鍵ユニット１０Ａ，１０Ｂ，１０Ｃが鍵フレーム２０に組み付けられた状態で、鍵ユニット１０Ａ，１０Ｂ，１０Ｃの切り欠き１３ａがボス２０ａ１に嵌合する。
【００２３】
後面部２０ａには、第２凸部としてのリブ２０ａ２が横方向に延設されている。リブ２０ａ２は、ボス２０ａ１の中心よりも若干上方に設けられている。リブ２０ａ２は、ボス２０ａ１の周辺においては設けられておらず、横方向に所定の間隔をおいて設けられている。リブ２０ａ２の幅は、ボス２０ａ１の外径よりも小さく、鍵フレーム２０の肉厚の半分程である。なお、鍵フレーム２０の成型時の離型性を良好にするため、リブ２０ａ２には抜き勾配が設けられている。そのため、リブ２０ａ２は、その先端（後方）に向かうに従ってその幅が若干小さくなっている。すなわち、リブ２０ａ２の上面は、その先端に向かうに従って低くなっており、一方、リブ２０ａ２の下面は、その先端に向かうに従って高くなっている。また、リブ２０ａ２の高さは、鍵ユニット１０Ｃの共通基端部１３の肉厚と同等である。このリブ２０ａ２は、鍵ユニット１０Ａ，１０Ｂ，１０Ｃを鍵フレーム２０に組み付けたときに、鍵ユニット１０Ｃの溝１３ｂに嵌合するものである。
【００２４】
また、図１に示すように、鍵本体部１１の中間部には、鍵フレーム２０の前部に設けられた鍵ガイド２２が下方から侵入しており、鍵本体部１１は、押離鍵時に鍵ガイド２２に案内されて上下方向に揺動する。さらに、鍵本体部１１の横方向への変位が鍵ガイド２２によって規制される。また、鍵本体部１１の前部から下方に向かって駆動部２３が延設されている。駆動部２３は、上下に延設された薄肉の前壁及び前壁の左右端からそれぞれ後方へ延設された薄肉の側壁を有し、後方に開放した中空状に形成されている。駆動部２３の下端は下端壁により閉じている。
【００２５】
鍵本体部１１の下方には、鍵本体部１１に慣性力を付与してアコースティックピアノの鍵タッチ感を模擬するため、鍵本体部１１の押離鍵操作に伴って揺動する揺動部材としての揺動レバー２５が設けられている。揺動レバー２５は、合成樹脂製のレバー基部２５ａ及び金属製の質量体２５ｂからなる。レバー基部２５ａは、板状の部材であって、その下部に設けたフック部２５ａ１にて、鍵フレーム２０の下部に設けたレバー支持部２６に、ピン２６ａの軸線周りに回動可能に支持されている。また、レバー基部２５ａは、前端部に上下一対の脚部２５ａ２，２５ａ３を備え、上方に位置する脚部２５ａ２は下方に位置する脚部２５ａ３より短く形成されている。脚部２５ａ２，２５ａ３の間には、鍵本体部１１の駆動部２３の下端壁が侵入している。駆動部２３の下端壁には、ゴム、ウレタン、フエルトなどの衝撃吸収材が嵌め込まれて固着され、駆動部２３の下端と脚部２５ａ３の上面との衝突、及び駆動部２３の下端と脚部２５ａ２の下面との衝突による衝撃を緩和している。鍵本体部１１の離鍵時には、揺動レバー２５の自重により、揺動レバー２５の前端部が上方へ変位する。このとき、脚部２５ａ３により駆動部２３が上方へ付勢され、鍵本体部１１の前端部は上方へ変位する。一方、鍵本体部１１の押鍵時には、駆動部２３の下端面が脚部２５ａ３の上面を押圧し、揺動レバー２５の前端部は下方へ変位する。
【００２６】
質量体２５ｂは、板状に形成され、レバー基部２５ａの後端に組み付けられている。質量体２５ｂは、全ての鍵本体部１１に対して共通としてもよいし、アコースティックピアノの鍵タッチ感をより忠実に模擬するために、低音側から高音側に向かうに従って、鍵本体部１１ごと又は鍵域ごとに質量体２５ｂを軽くしてもよい。
【００２７】
また、鍵フレーム２０の前端部の下面には、フエルトなどの衝撃吸収材によって構成した長尺状の上限ストッパ２７が、横方向に延設されて固着されている。この上限ストッパ２７は、揺動レバー２５の前端部の上方への変位を規制することにより、離鍵時における鍵本体部１１の前端部の上方への変位を規制する。また、鍵フレーム２０の前側上面部２０ｂの下面には、フエルトなどの衝撃吸収材によって構成した長尺状の下限ストッパ２８が、横方向に延設されて固着されている。この下限ストッパ２８は、揺動レバー２５の後部の上方への変位を規制することにより、押鍵時における鍵本体部１１の前端部の下方への変位を規制する。
【００２８】
また、鍵本体部１１の中間部の下面には、スイッチ駆動部２９が設けられている。スイッチ駆動部２９は、回路基板３０上に配置されたスイッチ３０ａの上面に当接している。スイッチ３０ａは、各鍵本体部１１ごとに設けられ、各鍵本体部１１の揺動に伴って押圧されて、押離鍵状態を検出する。鍵フレーム２０には、回路基板３０を固定するための固定保持部３２及び可動保持部３３が一体的に形成されている。固定保持部３２は、前側上面部２０ｂの前部に設けられている。可動保持部３３は、鍵フレーム２０の前側上面部２０ｂと後側上面部２０ｃによって形成された段差に設けられ、前後方向に弾性変形する変形部３３ａを有する。回路基板３０が取り付けられた状態において、変形部３３ａは弾性変形しており、その弾性力により、回路基板３０が固定保持部３２に押し付けられる。このようにして、回路基板３０は、固定保持部３２と可動保持部３３との間に保持される。固定保持部３２及び可動保持部３３は、それぞれ横方向に間隔をおいて複数箇所に設けられている。ただし、必ずしも等間隔に配置する必要はなく、それぞれの間隔が異なってもよい。
【００２９】
上記のように構成した鍵盤装置において、鍵ユニット１０Ａ，１０Ｂ，１０Ｃを鍵フレーム２０に取り付ける手順を説明する。まず、鍵ユニット１０Ｃのレール１３ｃと鍵ユニット１０Ｂの溝１３ｂを嵌合させ、鍵ユニット１０Ｂのレール１３ｃと鍵ユニット１０Ａの溝１３ｂを嵌合させる。上記のように、この一体化した鍵ユニット１０Ａ，１０Ｂ，１０Ｃのレール１３ｃと溝１３ｂは締まり嵌めになっているので、各鍵ユニット１０Ａ，１０Ｂ，１０Ｃに多少の力が加わっても互いに外れないようになっている。また、上記のように、鍵ユニット１０Ａ，１０Ｂ，１０Ｃを連結すると、各鍵本体部１１は、横方向に並んだ状態となる。
【００３０】
次に、図４に示すように、この一体化した鍵ユニット１０Ａ，１０Ｂ，１０Ｃの前部を後部よりも低くして斜めにした状態で、駆動部２３の下端を揺動レバー２５の脚部２５ａ３の上面に近づける。このとき、共通基端部１３の下端がリブ２１の上方に位置する。そして、図５に示すように、一体化した鍵ユニット１０Ａ，１０Ｂ，１０Ｃを後方へスライドさせて駆動部２３の下端壁を脚部２５ａ２，２５ａ３の間に侵入させながら、鍵ユニット１０Ａ，１０Ｂ，１０Ｃの後部を下げていく。すると、共通基端部１３は、その下端がリブ２１に摺接して、後面部２０ａへ誘導される。
【００３１】
次に、リブ２１により後面部２０ａに誘導された共通基端部１３の切り欠き部１３ａを、図６Ａ及び図６Ｂに示すように、後面部２０ａに設けたボス２０ａ１に嵌合させる。これにより、鍵ユニット１０Ａ，１０Ｂ，１０Ｃの上下方向の仮位置決めがなされる。また、上記のように、ボス２０ａ１の外径は、共通基端部１３の中央部に設けた切り欠き１３ａの横方向の幅と同等なので、鍵ユニット１０Ａ，１０Ｂ，１０Ｃの横方向の位置決めもなされる。この状態において、鍵ユニット１０Ｃの溝１３ｂは、リブ２０ａ２よりもわずかに後方かつ下方に位置する。
【００３２】
次に、共通基端部１３を僅かに前方かつ上方へスライドさせて鍵ユニット１０Ｃの溝１３ｂとリブ２０ａ２を嵌合させる。そして、ボス２０ａ１にワッシャ３６を介してねじ３５をねじ込むことにより、共通基端部１３を鍵フレーム２０に固定する。これにより、共通基端部１３の最終的な位置決めがなされ、鍵ユニット１０Ａ，１０Ｂ，１０Ｃの鍵フレーム２０への組み付けが完了する。
【００３３】
上記実施形態によれば、鍵ユニット１０Ａ，１０Ｂ，１０Ｃを鍵フレーム２０上に載置するときに、共通基端部１３がリブ２１によって後面部２０ａに誘導される。すなわち、共通基端部１３が、鍵フレーム２０の上面に当接して引っかかることがないので、簡単に作業できる。また、鍵ユニット１０Ａ，１０Ｂ，１０Ｃの鍵フレーム２０への組み付け作業において、溝１３ｂをリブ２０ａ２に嵌合させた上でねじ３５をねじ込むだけでよく、組み付け位置を冶具、計測器などを用いて調整する必要が無いので、簡単に作業できる。また、ボス２０ａ１を共通基端部１３の仮位置決めのための凸部としても利用した。そのため、別途仮位置決めのための凸部を設ける場合に比べて、鍵フレーム２０の構造を簡単にでき、鍵フレーム２０を成型するための金型構造も簡単にできるので、コストダウンできる。また、上記実施形態においては、リブ２０ａ２の高さを、薄肉に形成した共通基端部１３の肉厚とほぼ同等にして小さくした。そのため、鍵フレーム２０の肉厚をほぼ均一にすることができるので、後面部２０ａの前面に肉盗み（凹部）を設ける必要が無い。したがって、鍵フレーム２０を成型するための金型の構造を簡単にすることができるので、コストダウンできる。
【００３４】
さらに、本発明の実施にあたっては、上記実施形態に限定されるものではなく、本発明の目的を逸脱しない限りにおいて種々の変更が可能である。
【００３５】
上記実施形態においては、共通基端部に設けた切り欠き１３ａをボス２０ａ１に嵌合させることにより、共通基端部の仮位置決めをした。しかし、ボス２０ａ１に加えて、仮位置決め用の凸部を後面部２０ａに設けておき、この仮位置決め用の凸部に切り欠き１３ａを嵌合させるようにしてもよい。この仮位置決め用の凸部の形状は、ボス２０ａ１のような円筒状に限られず、後面部から後方に突出していれば、どのような形状（例えば、四角柱状）であってもよい。ただし、切り欠き１３ａの形状を仮位置決め用の凸部に嵌合するような形状としておく。この場合、鍵ユニット１０Ａ，１０Ｂ，１０Ｃを鍵フレーム２０に載置したとき、切り欠き１３ａとボス２０ａ１が当接しないように切り欠き１３ａを上記実施形態よりも多少大きく形成しておいてもよい。すなわち、共通基端部１３の仮位置決めは、前記仮位置決め用の凸部により行うようにして、ボス２０ａ１は、共通基端部１３の固定のためだけに用いるようにしてもよい。このように構成しても、上記実施形態と同様に共通基端部１３の仮位置決めがなされる。また、この仮位置決め用の凸部に切り欠き１３ａを嵌合させることなく、この仮位置決め用の凸部に共通基端部１３の下端を当接させるだけでもよい。このように構成した場合も、上記実施形態と同様に共通基端部１３の上下方向の仮位置決めがなされる。ただし、横方向の位置決めは、上記実施形態と同様に、ボス２０ａ１と切り欠き１３ａを嵌合させて行う。
【００３６】
上記実施形態においては、傾斜面部２０ｅと水平面部２０ｆの間にリブ２１を設けて、鍵ユニット１０Ａ，１０Ｂ，１０Ｃを鍵フレーム２０上に載置するとき、共通基端部１３の下端をリブ２１に摺接させて、後面部２０ａへ誘導するようにした。しかし、傾斜面部２０ｅ、水平面部２０ｆ及びリブ２１に代えて、図７に示すように、後側上面部２０ｃの後端と後面部２０ａの上端を繋ぐ平面状の傾斜面部２０ｇを設けてもよい。なお、傾斜面部２０ｇは、必ずしも平面状に構成する必要はなく、後方へ向かうほど低くなるように傾斜していれば、曲面であってもよい。このように構成しても、共通基端部１３の下端を傾斜面部２０ｇに摺接させて、後面部２０ａへ誘導することができるので、鍵ユニット１０Ａ，１０Ｂ，１０Ｃを鍵フレーム２０に簡単に組み付けることができる。
【００３７】
また、上記実施形態おいては、鍵フレーム２０の成型時の離型性を良好にするため、リブ２０ａ２に抜き勾配を設けた。すなわち、リブ２０ａ２の上面は、先端（後方）に向かうほど低くなっている。この場合、鍵ユニット１０Ｃの溝１３ｂとリブ２０ａ２を嵌合させた状態で、鍵ユニット１０Ａ，１０Ｂ，１０Ｃを後方に移動させると、鍵ユニット１０Ａ，１０Ｂ，１０Ｃがリブ２０ａ２から脱落し易い。そこで、図８Ａ及び図８Ｂに示すように、リブ２０ａ２の横方向の所定区間の上面及び下面を水平（図示Ｘ部分）に形成してもよい。この場合、鍵ユニット１０Ｃの溝１３ｂの対応部分も水平に形成しておく。このように構成すれば、鍵ユニット１０Ｃの溝１３ｂとリブ２０ａ２を嵌合させた状態で、鍵ユニット１０Ａ，１０Ｂ，１０Ｃを多少後方に移動させても、鍵ユニット１０Ａ，１０Ｂ，１０Ｃは水平に平行移動するので、リブ２０ａ２から脱落し難くなる。なお、図８Ａ及び図８Ｂに示す変形例においては、リブ２０ａ２の横方向の所定区間の上面及び下面を水平に形成したが、上面のみを水平に形成し、下面は抜き勾配を設けておいてもよい。このように構成しても、上記図８Ａ及び図８Ｂに示す変形例と同様の効果が得られる。
【００３８】
また、上記実施形態においては、アコースティックピアノの鍵タッチ感を模擬するために、揺動レバー２５を有するようにした。しかし、アコースティックピアノの鍵タッチ感を模擬する必要のない電子楽器用の鍵盤装置であっても上記実施形態と同様に構成できる。すなわち、上記実施形態において、揺動レバー２５を削除し、鍵本体部１１の前端を上方へ付勢する付勢手段（例えばバネ）をさらに設ければよい。このように構成しても、鍵ユニット１０Ａ，１０Ｂ，１０Ｃを鍵フレーム２０に簡単に組み付けることができる。
【符号の説明】
【００３９】
１０Ａ，１０Ｂ，１０Ｃ・・・鍵ユニット、１１・・・鍵本体部、１２・・・薄板部、１３・・・共通基端部、１３ａ・・・切り欠き、１３ｂ・・・溝、２０・・・鍵フレーム、２０ａ・・・後面部、２０ｃ・・・後側上面部、２０ａ１・・・ボス、２０ａ２・・・リブ、２０ｇ・・・傾斜面部、２１・・・リブ、２５・・・揺動レバー、２６・・・レバー支持部
【図１Ａ】
2011017904.tif 000003
【図１Ｂ】
2011017904.tif 000004
【図２Ａ】
2011017904.tif 000005
【図２Ｂ】
2011017904.tif 000006
【図３Ａ】
2011017904.tif 000007
【図３Ｂ】
2011017904.tif 000008
【図３Ｃ】
2011017904.tif 000009
【図４】
2011017904.tif 000010
【図５】
2011017904.tif 000011
【図６Ａ】
2011017904.tif 000012
【図６Ｂ】
2011017904.tif 000013
【図７】
2011017904.tif 000014
【図８Ａ】
2011017904.tif 000015
【図８Ｂ】
2011017904.tif 000016
【手続補正書】
【提出日】平成22年6月3日(2010.6.3)
【手続補正１】
【補正対象書類名】図面
【補正対象項目名】図６Ｂ
【補正方法】変更
【補正の内容】
【図６Ｂ】
2011017904.tif 000017